(57)【要約】【課題】  コネクタのはんだ付け部分や基板に余計な負荷（応力）がかかることを抑制する。【解決手段】  導電性材料で形成され、電池端子と弾性的に接触可能な第１の端子部と、第１の基板に形成された電気接点と弾性的に接触可能な第２の端子部とが形成される導電部材と、第１の端子部が第１の面から露出し、第２の端子部が第１の面とは異なる第２の面から露出するように導電部材が固定されるコネクタハウジングとを有し、コネクタハウジングには、第１の基板の前記電気接点と第２の端子部とが接触する際に第１の基板と当接する第１の当接部が形成されることを特徴とする構成とした。【選択図】  図３
2015095371.tif 000002
【特許請求の範囲】
【請求項１】
導電性材料で形成され、電池端子と弾性的に接触可能な第１の端子部と、第１の基板に形成された電気接点と弾性的に接触可能な第２の端子部とが形成される導電部材と、
前記第１の端子部が第１の面から露出し、前記第２の端子部が前記第１の面とは異なる第２の面から露出するように前記導電部材が固定されるコネクタハウジングとを有し、
前記コネクタハウジングには、前記第１の基板の前記電気接点と前記第２の端子部とが接触する際に前記第１の基板と当接する第１の当接部が形成されることを特徴とするコネクタ。
【請求項２】
前記導電部材は、前記コネクタハウジングが固定される固定部を有し、
前記導電性材料は、前記第１の端子と前記固定部の間に第１の屈曲部と、前記第２の端子と前記固定部の間に第２の屈曲部を有し、
前記第１の屈曲部は、前記電池端子と前記第１の端子部が接触した際に弾性変形し、
前記第２の屈曲部は、前記第１の基板の前記電気接点と前記第２の端子が接触した際に弾性変形することを特徴とする請求項１に記載のコネクタ。
【請求項３】
前記導電部材は、前記コネクタハウジングの前記第２の面から露出する第３の端子部を有し、
前記第３の端子部は、前記コネクタハウジングに対して、前記第１の基板と同じ側に配置された第２の基板と電気的に接続されることを特徴とする請求項１又は２に記載のコネクタ。
【請求項４】
前記第３の端子部は、前記第２の基板にはんだ付け可能な端子部であることを特徴とする請求項３に記載のコネクタ。
【請求項５】
前記第３の端子部は、前記第２の基板に形成された電気接点と弾性的に接触可能であることを特徴とする請求項３に記載のコネクタ。
【請求項６】
前記第１の当接部は、前記第１の当接部の前記２の面からの高さが、前記第１の基板が前記第２の基板のはんだ付け部分と接触しないような高さに形成されていることを特徴とする請求項４に記載のコネクタ。
【請求項７】
第１の電気接点が形成される第１の基板と、
第２の電気接点が形成され、前記第１の基板と重ねて配置される第２の基板と、
導電性材料で形成され、電池端子と弾性的に接触可能な第１の端子部と、前記第１の電気接点と弾性的に接触可能な第２の端子部と、前記第２の電気接点と弾性的に接触可能な第３の端子部が形成される導電部材と、
前記第１の端子部が第１の面から露出し、前記第２の端子部と前記第３の端子部が前記第１の面とは異なる第２の面から露出するように前記導電部材が固定されるコネクタハウジングと、
を有し、
前記コネクタハウジングには、前記第２の基板の前記電気接点と前記第３の端子部とが接触する際に前記第２の基板と当接する当接部が形成され、
前記第２の基板の前記第１の当接部と当接する面の裏面が前記第１の基板に当接することを特徴とする電子機器。
【請求項８】
前記第２の基板は剛性を有する補強板が貼られたフレキシブル基板であって、
前記補強板が前記第１の基板に当接することを特徴とする請求項６に記載の電子機器。
【請求項９】
前記第２の基板には開口部が形成されており、前記第２の端子部が前記開口部を挿通して前記第１の基板と弾性的に接触することを特徴とする請求項３乃至８の何れか一項に記載の電子機器。
【発明の詳細な説明】
【技術分野】
【０００１】
本発明は、電池から電源を供給するコネクタと、当該コネクタを有する電子機器に関する。
【背景技術】
【０００２】
従来、デジタルカメラなどの電子機器において、接点手段が接続された電源供給用の基板を、電子機器内部で位置決め固定する構成について提案されている（特許文献１）。
【先行技術文献】
【特許文献】
【０００３】
【特許文献１】特開２００７−１１６７３６号公報
【発明の概要】
【発明が解決しようとする課題】
【０００４】
しかしながら、特許文献１に開示されている電子機器の基板は、接点手段を接続する際のずれや公差等の影響により、設計位置からずれて設置されてしまう可能性がある（実装ずれ）。
【０００５】
ここで、電子機器内部への電源の供給は、二次電池と導通可能な金属端子を複数まとめた電源用のコネクタを基板にはんだ付けされている。そして、コネクタがはんだ付けされた基板を介して、二次電池から電子機器内部に電源を供給することが一般的である。
【０００６】
このコネクタは、二次電池の収納部が設けられた電子機器筐体に対して位置決めされることが一般的である。この場合、コネクタを基板にはんだ付けする際に実装ずれが生じると、実装ずれの分だけ、コネクタや基板に余計な負荷（応力）がかかってしまう可能性がある。
【０００７】
本発明の目的は、コネクタや基板に余計な負荷（応力）がかかることを抑制したコネクタ、およびコネクタを備えた電子機器を提供することである。
【課題を解決するための手段】
【０００８】
上記目的を達成するための本発明のコネクタは、導電性材料で形成され、電池端子と弾性的に接触可能な第１の端子部と、第１の基板に形成された電気接点と弾性的に接触可能な第２の端子部とが形成される導電部材と、前記第１の端子部が第１の面から露出し、前記第２の端子部が前記第１の面とは異なる第２の面から露出するように前記導電部材が固定されるコネクタハウジングとを有し、前記コネクタハウジングには、前記第１の基板の前記電気接点と前記第２の端子部とが接触する際に前記第１の基板と当接する第１の当接部が形成されることを特徴とする。
【０００９】
また、上記目的を達成するための本発明の電子機器は、第１の電気接点が形成される第１の基板と、第２の電気接点が形成され、前記第１の基板と重ねて配置される第２の基板と、導電性材料で形成され、電池端子と弾性的に接触可能な第１の端子部と、前記第１の電気接点と弾性的に接触可能な第２の端子部と、前記第２の電気接点と弾性的に接触可能な第３の端子部が形成される導電部材と、前記第１の端子部が第１の面から露出し、前記第２の端子部と前記第３の端子部が前記第１の面とは異なる第２の面から露出するように前記導電部材が固定されるコネクタハウジングと、を有し、前記コネクタハウジングには、前記第２の基板の前記電気接点と前記第３の端子部とが接触する際に前記第２の基板と当接する当接部が形成され、前記第２の基板の前記第１の当接部と当接する面の裏面が前記第１の基板に当接することを特徴とする。
【発明の効果】
【００１０】
本発明によれば、コネクタや基板に余計な負荷（応力）がかかることを抑制することが出来る。
【図面の簡単な説明】
【００１１】
【図１】本発明の第１実施形態に係るコネクタの一例であるコネクタ３００を説明する図である。
【図２】本発明の第１実施形態に係る電子機器の一例であるデジタルカメラ１００の一部であるストロボユニットの構成を説明する図である。
【図３】本発明の第１実施例に係る電子機器の一例であるデジタルカメラ１００を説明する図である。
【図４】本発明の第２実施形態に係るコネクタの一例であるコネクタ３１０を説明する図である。
【図５】本発明の第２実施形態に係る電子機器の一例であるデジタルカメラ１００の一部であるフレキシブル基板４１０の構成を説明する図である。
【図６】本発明の第２実施形態に係る電子機器の一例であるデジタルカメラ１００の一部であるストロボユニットの構成を説明する図である。
【図７】本発明の第３実施形態に係るコネクタの一例であるコネクタ３２０を説明する図である。
【図８】本発明の第３実施形態に係る電子機器の一例であるデジタルカメラ１００を説明する図である。
【図９】本発明の第３実施形態に係る電子機器の一例であるデジタルカメラ１００の要部を説明する図である。
【発明を実施するための形態】
【００１２】
（第１実施形態）
以下、本発明のコネクタおよび電子機器の第１実施形態としてのコネクタ３００およびデジタルカメラ１００について図１〜図３を参照して説明する。
【００１３】
図１は、本発明を実施したコネクタの第１実施形態であるコネクタ３００を説明する図である。図１（ａ）は、第１の面側から見たコネクタ３００の外観を示す外観斜視図である。図１（ｂ）は第２の面側から見たコネクタ３００の外観を示す外観斜視図である。
【００１４】
図１（ａ）および図１（ｂ）に図示するように、コネクタ３００は、導電部材３０１およびコネクタハウジング３０２から構成されている。導電部材３０１は、金属材料などの導電性材料で形成されている。コネクタハウジング３０２は、合成樹脂などの絶縁材料で形成されている。本実施形態では、３つの導電部材３０１が直線上に並んでコネクタハウジング３０２に固定されている。
【００１５】
図１（ａ）に図示するように、導電部材３０１の第１の端子部である端子部３０１ｃがコネクタハウジング３０２の第１の面３０２ｄから露出している。コネクタハウジング３０２の短辺側の側面３０２ｆには、位置決め用リブ３０２ｃが突出形成されている。
【００１６】
図１（ｂ）に図示するように、導電部材３０１の第２の端子部である端子部３０１ｂがコネクタハウジング３０２の第２の面３０２ｅから露出している。また、導電部材３０１の第３の端子部である端子部３０１ａがコネクタハウジング３０２の第２の面３０２ｅから露出している。コネクタハウジング３０２の第２の面３０２ｅには、第１の当接部３０２ｂおよび第２の当接部３０２ａが突出形成されている。
【００１７】
図１（ｂ）に図示するように、第１の当接部３０２ｂは第２の面３０２ｅの長辺側にコネクタハウジング３０２と一体的に形成され、第２の当接部３０２ａは第２の面３０２ｅの短辺側にコネクタハウジング３０２と一体的に形成されている。図１（ｂ）に図示するように、第１の当接部３０２ｂの第２の面３０２ｅからの突出高さは、第２の当接部３０２ａの第２の面３０２ｅからの突出高さより高くなっている。
【００１８】
図１（ｂ）に図示するように、第１の当接部３０２ｂの第２の面３０２ｅの長辺に沿った形成長さは、第２の当接部３０２ａの第２の面３０２ｅの短辺に沿った形成長さより長くなっている。
【００１９】
図１（ｃ）は導電部材３０１の外観を示す外観斜視図である。
【００２０】
図１（ｃ）に図示するように、導電部材３０１には、固定部３０１ｄが形成されている。固定部３０１ｄがコネクタハウジング３０２に固定されることで、導電部材３０１はコネクタハウジング３０２に固定される。固定部３０１ｄの一方側に端子部３０１ｃが形成され、固定部３０１ｄの他方側に端子部３０１ｂ、３０１ｃが形成される。固定部３０１ｄと端子部３０１ｃとの間には、屈曲部（第１の屈曲部）３０１ｅが形成され、固定部３０１ｄと端子部３０１ａ、３０１ｂとの間には、屈曲部（第２の屈曲部）３０１ｆが形成されている。図１（ｃ）に図示するように、固定部３０１ｄと端子部３０１ａ、３０１ｂは、屈曲部３０１ｆよりも他方側にて、二股に分岐している。
【００２１】
図１（ｃ）において、端子部３０１ｃ対して下から上に向かう力が作用すると、屈曲部３０１ｅより端子部３０１ｃ側で弾性変形するか、屈曲部３０１ｅが弾性変形する。図１（ｃ）において、端子部３０１ｂに対して上から下に向かう力が作用すると、屈曲部３０１ｆより端子部３０１ｂ側で弾性変形するか、屈曲部３０１ｆが弾性変形する。従って、端子部３０１ｃに対して下から上に向かう力が作用するにも、端子部３０１ｂに対して上から下に向かう力が作用するにも、屈曲部３０１ｅから屈曲部３０１ｆまでの領域はほとんど弾性変形しない。ほとんど弾性変形しない領域に固定部３０１ｄを形成しているので、端子部３０１ｂまたは端子部３０１ｃに力が作用しても、導電部材３０１がコネクタハウジング３０２から脱落することはない。
【００２２】
図２は、本発明を実施した電子機器の第１実施形態であるデジタルカメラ１００の一部であるストロボユニットの構成を説明する図である。なお、ストロボユニットとは、ストロボ基板４０３に発光部４０４、メインコンデンサ４０５などを接続したユニットである。
【００２３】
図２（ａ）は、コネクタ３００をフレキシブル基板４００およびストロボ基板４０３と接続する様子を説明する分解斜視図である。
【００２４】
図２（ａ）において、端子部３０１ａがフレキシブル基板４００に半田付けされることで、コネクタ３００はフレキシブル基板４００と電気的に接続される。フレキシブル基板４００は、不図示の接続コネクタが実装されている。フレキシブル基板４００に実装される不図示の接続コネクタがメイン基板４０２に実装される接続コネクタ４０１と接続されることで、フレキシブル基板４００とメイン基板４０２とが電気的に接続される。
【００２５】
図２（ａ）に図示するように、ストロボ基板４０３には、発光部４０４およびメインコンデンサ４０５が取り付けられている。
【００２６】
図２（ａ）に図示するように、端子部３０１ａがフレキシブル基板４００に形成された不図示の開口部を挿通し、フレキシブル基板４００に半田付けされている。
【００２７】
フレキシブル基板４００には、開口部４００ｃが形成されている。端子部３０１ｂは、開口部４００ｃを挿通してフレキシブル基板４００から露出する。
【００２８】
本実施形態では、コネクタ３００をフレキシブル基板４００に半田付けした後、コネクタ３００を電池収納部２００に取り付ける。このとき、コネクタハウジング３０２に形成される位置決め用リブ３０２ｃを電池収納部２００に形成された凹部２００ｃに嵌合させることで、コネクタ３００は電池収納部２００に対して図２（ａ）中のＸ方向、およびＺ方向に位置決めされる。コネクタ３００を電池収納部２００に取り付けた後、コネクタ３００の上方にストロボ基板４０３を配置し、フレキシブル基板４００を通信コネクタ４０６に接続する。
【００２９】
図２（ｂ）は、上面側から見たストロボ基板４０３の外観を示す外観斜視図である。
【００３０】
図２（ｂ）に図示するように、ストロボ基板４０３の上面側には、通信コネクタ４０６が実装されている。
【００３１】
図２（ｃ）は、下面側から見たストロボ基板４０３の外観を示す外観斜視図である。
【００３２】
図２（ｃ）に図示するように、ストロボ基板４０３の下面側には、電気接点４０７が形成されている。電気接点４０７はストロボ基板４０３の銅箔パターンを露出させることで形成されている。
【００３３】
図２（ｄ）は、コネクタ３００が接続されたフレキシブル基板４００とストロボ基板４０３とを接続する様子を説明する図である。
【００３４】
図２（ｄ）に図示するように、ストロボ基板４０３の上面側に実装される通信コネクタ４０６にフレキシブル基板４００が接続される。
【００３５】
図２（ｅ）は、図２（ｄ）に図示したストロボユニットのＡ−Ａ断面を示す断面図である。
【００３６】
図２（ｅ）に図示するように、第１の当接部３０２ｂの第２の面３０２ｅからの突出高さは、端子部３０１ｂの第２の面３０２ｅからの突出高さより低い。また、第２の当接部３０２ａの第２の面３０２ｅからの突出高さは、端子部３０１ａの第２の面３０２ｅからの突出高さよりも低い。
【００３７】
図２（ｅ）に図示するように、フレキシブル基板４００は、コネクタハウジング３０２に形成される第２の当接部３０２ａに当接した状態で、端子部３０１ａが半田付けされる。即ち、フレキシブル基板４００の下面を第２の当接部３０２ａに当接させることで、図２（ｅ）中のＹ方向におけるコネクタ３００とフレキシブル基板４００との位置決めを行い、端子部３０１ａを半田付けしている。
【００３８】
図２（ｅ）に図示するように、端子部３０１ｂは、フレキシブル基板４００の開口部４００ｃを挿通し、フレキシブル基板４００から露出する状態となる。
【００３９】
前述したように、第１の当接部３０２ａの第２の面３０２ｅからの突出高さが、端子部３０１ｂの第２の面３０２ｅからの突出高さより低い。したがって、ストロボ基板４０３をコネクタハウジング３０２に形成される第１の当接部３０２ｂに当接させると、フレキシブル基板４００から露出した端子部３０１ｂが、ストロボ基板４０３の電気接点４０７に押し当てられる。即ち、ストロボ基板４０３は端子部３０１ｂの復元力を上回る力で第１の当接部３０２ｂに押し当てられ、端子部３０１ｂは弾性変形した状態で、電気接点４０７に接触する。
【００４０】
ストロボ基板４０３の下面を第１の当接部３０２ｂに当接させることで、図２（ｅ）中のＹ方向におけるコネクタ３００とストロボ基板４０３との位置決めを行っている。
【００４１】
第１の当接部３０２ｂにストロボ基板４０３を当接させた際に、端子部３０１ｂと、ストロボ基板４０３の電気接点４０７との接触圧が適切となるように、第１の当接部３０２ｂの第２の面３０２ｅからの突出高さが設定されている。また、本実施形態では第１の当接部３０２ｂがコネクタハウジング３０２に一体的に形成されているので、ストロボ基板４０３は、コネクタ３００に対して高い位置決め精度で位置決めできる。
【００４２】
また、上述したように、端子部３０１ｂが弾性変形しても、その変形は屈曲部３０１ｆより端子部３０１ｂ側もしくは屈曲部３０１ｆにて吸収される。これによって、ストロボ基板４０３をコネクタ３００に押し当てたとしても、図１（ｃ）に図示した導電部材３０１の固定部３０１ｄには、大きな応力が作用しない。
【００４３】
図２（ｅ）に図示するように、ストロボ基板４０３を第１の当接部３０２ｂに当接させても、フレキシブル基板４００の端子部３０１ａが半田付けされた部分は、ストロボ基板４０３に接触しないように、第１の当接部３０２ｂの突出高さを設定している。
【００４４】
図３は、本発明を実施した電子機器の第１実施形態であるデジタルカメラ１００を説明する図である。
【００４５】
図３（ａ）は、デジタルカメラ１００の分解斜視図である。図３（ｂ）は、デジタルカメラ１００からフロントカバー１０１およびトップカバー１０２を取り外した状態である。
【００４６】
図３（ａ）に図示するように、デジタルカメラ１００の上面側には、図２にて説明したストロボユニットが取り付けられている。デジタルカメラ１００の下面には、電池蓋２０３が取り付けられている。
【００４７】
デジタルカメラ１００の電源となる電池２０１は、電池収納部２００の開口部２０４から矢印Ｇの方向に挿入される。
【００４８】
図３（ｂ）は、図３（ａ）に図示したデジタルカメラ１００のＢ−Ｂ断面を示す断面図である。
【００４９】
図３（ｂ）に図示するように、電池２０１に形成された電池端子２０２が端子部３０１ｃに押し当てられる。端子部３０１ｃは弾性変形した状態で、電池端子２０２に接触する。
【００５０】
上述したように、端子部３０１ｃが弾性変形しても、その変形は屈曲部３０１ｅより端子部３０１ｃ側もしくは屈曲部３０１ｅにて吸収される。これによって、電池２０１をコネクタ３００に押し当てたとしても、図１（ｃ）に図示した導電部材３０１の固定部３０１ｄには、大きな応力が作用しない。
【００５１】
図３（ｂ）に図示するように、本実施形態では、フレキシブル基板４００にコネクタ３００を半田付けした後、コネクタ３００を電池収納部２００の上面に設けられたコネクタ収納部（不図示）に取り付ける。そして、コネクタ３００をコネクタ収納部（不図示）に取り付けた後、ストロボ基板４０３がフレキシブル基板４００に重なるように、ストロボユニットが電池収納部２００の上面に取り付けられる。
【００５２】
ストロボユニットがデジタルカメラ１００の上面に取り付けられと、ストロボ基板４０３がコネクタ３００に押し付けられる。これによって、ストロボ基板４０３の下面がコネクタハウジング３０２に形成される第１の当接部３０２ｂに当接する。このとき、コネクタ収納部２００ａに取り付けたコネクタ３１０の端子部３１１ａがストロボ基板４１３の下面に形成された電気接点４１８に接触する。
【００５３】
図３（ｂ）に図示するように、端子部３０１ｂとストロボ基板４０３とが接触することで電池２０１からストロボ基板４０３への電力が供給される。即ち、フレキシブル基板４００を介すことなく、ストロボ機番４０３に電池２０１から電力が供給される。
【００５４】
従って、コネクタ３００は、フレキシブル基板４００を介することなく電池２０１から電力を供給することが出来るので、電気的な損失を抑制することが出来る。
【００５５】
この構成によって、コネクタ３００の上方にてフレキシブル基板４００とストロボ基板４０３とを重ねて配置出来るので、デジタルカメラ１００を小型化することも出来る。尚、本実施形態では、端子部３０１ａは、フレキシブル基板４００の不図示の開口部に挿通されて半田付けされる構成であるがこれに限定されるものではない。例えば、フレキシブル基板４００の下面に面実装されるような構成であってもよい。
【００５６】
また、本実施形態において、端子部３０１ｂを挿通するためにフレキシブル基板４００に開口部４００ｃを設けるような構成であるがこれに限定されるものではない。例えば、端子部３０１ｂが形成されている位置に合わせて、フレキシブル基板４００に切り欠き部を設けるような構成であっても良い。
【００５７】
（第２実施形態）
本発明のコネクタおよび電子機器の第２の実施形態としてのコネクタ３１０およびデジタルカメラ１００について図４〜６を参照して説明する。
【００５８】
図４は、本発明を実施するコネクタの第２実施形態であるコネクタ３１０を説明する図である。図４（ａ）は、第１の面側から見たコネクタ３１０の外観を示す外観斜視図である。図４（ｂ）は、第２の面側から見たコネクタ３１０の外観を示す外観斜視図である。尚、前述の第１実施形態と同様の構成についての説明は省略する。
【００５９】
図４（ａ）および図４（ｂ）に図示するように、コネクタ３１０は、導電部材３１１およびコネクタハウジング３１２から構成されている。導電部材３１１は、金属材料などの導電性材料で形成されている。コネクタハウジング３１２は、合成樹脂などの絶縁材料で形成されている。本実施形態では、３つの導電部材３１１が直線上に並んでコネクタハウジング３１２に固定されている。
【００６０】
図４（ａ）に図示するように、導電部材３１１の第１の端子部である端子部３１１ｃがコネクタハウジング３１２の第１の面３１２ｄから露出している。コネクタハウジング３１２の短辺側の側面３１２ｆには、位置決め用リブ３１２ｃが突出形成されている。
【００６１】
図４（ｂ）に図示するように、導電部材３１１の第２の端子部である端子部３１１ｂがコネクタハウジング３１２の第２の面３１２ｅから露出している。また、導電部材３１１の第３の端子部である端子部３１１ａがコネクタハウジング３１２の第２の面３１２ｅから露出している。
【００６２】
コネクタハウジング３１２の第２の面３１２ｅには、当接部３１２ａが突出形成されている。また、当接部３１２ａはコネクタハウジング３１２と一体的に形成されている。
【００６３】
図４（ｂ）に図示するように、端子部３１１ａは、後述するフレキシブル基板４１０の電気接点４１２と弾性的に接触可能な形状である。
【００６４】
尚、導電部材３１１には前述の第１実施形態と同様に、不図示の固定部が形成されている。当該固定部がコネクタハウジング３１２に固定されることで、導電部材３１１はコネクタハウジング３１２に固定される。
【００６５】
また、導電部材３１１には、前述の第１実施形態と同様に、固定部と端子部３１１ｃとの間と、固定部と端子部３１１ａ、３１１ｂとの間には、それぞれ屈曲部が形成されている。
【００６６】
図５は、本発明を実施した電子機器の第２実施形態であるデジタルカメラ（以下、カメラ）１００の一部であるフレキシブル基板４１０の構成を説明する図である。図５（ａ）は、上面側から見たフレキシブル基板４１０の外観を示す外観斜視図である。図５（ｂ）は、下面側から見たフレキシブル基板４１０の外観を示す外観斜視図である。
【００６７】
図５（ａ）（ｂ）に図示するように、フレキシブル基板４１０には、開口部４１０ｃが形成されている。
【００６８】
図５（ｂ）に図示するように、フレキシブル基板４１０の下面側には、電気接点（第２の電気接点）４１２が形成されている。電気接点４１２はフレキシブル基板４１０の銅箔パターンを露出させることで形成されている。
【００６９】
図５（ａ）、（ｂ）に図示するように、フレキシブル基板４１０の上面側には、剛性を有する補強板５００が貼り付けられている。即ち、補強板５００は、フレキシブル基板４１０の電気接点４１２が形成されている面の裏面に貼り付けられている。
【００７０】
補強板５００には、開口部５００ｃが形成されている。開口部５００ｃは、フレキシブル基板４１０の開口部４１０ｃが形成された位置に対応する位置に形成されている。
【００７１】
図５（ｃ）は、コネクタ３１０をフレキシブル基板４１０と接続する状態の外観を示す外観斜視図である。
【００７２】
図５（ｃ）に図示する状態では、端子部３１１ａが電気接点４１２と当接する。また、図５（ｃ）に図示する状態では、フレキシブル基板４１０の下面はコネクタハウジング３１２に形成される当接部３１２ａに当接する。
【００７３】
このとき、図５（ｃ）に図示するように、端子部３１１ｂがフレキシブル基板４１０に形成された開口部４１０ｃと、補強板５００に形成された開口部５００ｃを挿通して、補強板５００から露出している。
【００７４】
図６は、本発明を実施した電子機器の第２実施形態であるデジタルカメラ１００の一部であるストロボユニットの構成を説明する図である。
【００７５】
図６（ａ）は、コネクタ３１０が接続されたフレキシブル基板４１０とストロボ基板４０３とを接続する様子を説明する図である。
【００７６】
図６（ａ）に図示するように、ストロボ基板４０３の上面側に実装される通信コネクタ４０６にフレキシブル基板４１０が接続される。
【００７７】
図６（ｂ）は、図６（ｂ）に図示したストロボユニットのＣ−Ｃ断面を示す断面図である。
【００７８】
本実施形態では、コネクタ３１０を電池収納部２００の上面に設けられたコネクタ収納部（不図示）に取付けた後、フレキシブル基板４１０とストロボユニットとが電池収納部２００の上面に取り付けられる。
【００７９】
なお、ストロボユニットとは、ストロボ基板４０３に発光部４０４、メインコンデンサ４０５などを接続したユニットである。
【００８０】
図６（ｂ）に図示するように、フレキシブル基板４１０の下面を当接部３１２ａに当接させることで、図６（ｂ）のＹ方向においてコネクタ３１０とフレキシブル基板４１０との位置決めがさる。
【００８１】
図６（ｂ）に図示するように、当接部３１２ａの第２の面３０２ｅからの突出高さは、端子部３０１ａの第２の面３０２ｅからの突出高さより低い。したがって、フレキシブル基板４１０の下面をコネクタハウジング３１２に形成される当接部３１２ａに当接させると、端子部３１１ａが、フレキシブル基板４１０の電気接点４１２に押し当てられる。この際、電気接点４１２の裏面には補強板５００が貼り付けられているので、端子部３１１ａの接触圧によってフレキシブル基板４１０が変形することはない。
【００８２】
フレキシブル基板４１０は端子部３１１ａの復元力を上回る力で当接部３１２ａに押し当てられ、端子部３１１ａは弾性変形した状態で、電気接点４１２と弾性的に接触する。
【００８３】
当接部３１２ａの第２の面３１２ｅからの突出高さは、当接部３１２ａにフレキシブル基板４１０を当接させた際に、端子部３１１ａとフレキシブル基板４１０の電気接点４１２との接触圧が適切となるように設定されている。
【００８４】
また、本実施形態では、当接部３１２ａがコネクタハウジング３１２に一体的に形成されているので、フレキシブル基板４１０は、コネクタ３１０に対して高い位置決め精度で位置決めできる。
【００８５】
図６（ｂ）に図示するように、補強板５００の上面（フレキシブル基板４１０に張り付けられた面とは反対側の面）がストロボ基板４０３に当接している。この状態で、端子部３１１ｂがストロボ基板４０３の電気接点（第１の電気接点）４０７に押し当てられる。
【００８６】
ストロボ基板４０３の下面を補強板５００の上面に当接させることで、図６（ｂ）中のＹ方向におけるコネクタ３１０とストロボ基板４０３との位置決めを行っている。
【００８７】
補強板５００の上面にストロボ基板４０３を当接させた際に、端子部３１１ｂとストロボ基板４０３の電気接点４０７との接触圧が適切となるように、補強板５００の厚さが設定されている。すなわち、端子部３１１ｂの第２の面３１２ｅからの突出高さの寸法よりも、当接部３１２ａの第２の面３１２ｅからの突出高さと、フレキシブル基板４１０の厚さと、補強板５００の厚さの合計の寸法が小さくなるようにする。
【００８８】
また、フレキシブル基板４１０と端子部３１１ａとの接触を干渉しないように、当接部３１２ａの第２の面３１２ｅからの突出高さと、フレキシブル基板４１０の厚さと、補強板５００の厚さがそれぞれ設定されている。
【００８９】
尚、前述した第１実施形態と同様に、ストロボ基板４０３に補強板５００に当接させることで、端子部３１１ａ、３１１ｂが弾性変形しても、その変形は屈曲部よりも端子部３１１ａ、３１１ｂ側にて吸収される。従って、導電部材３１１の固定部に大きな応力は作用しない。
【００９０】
以上説明したように、本実施形態のコネクタ３１０は、端子部３１１ａとフレキシブル基板４１０の電気接点４１２とが弾性的に接触可能なので、コネクタや基板に負荷（応力）がかかることを効果的に抑制することが出来る。
【００９１】
尚、本実施形態では、フレキシブル基板４１０と端子部３１１ａとが接触する構成であるがこれに限定されるものではない。
【００９２】
例えば、端子部３１１ａと接触する基板がリジット基板や一部がリジットであるフレキシブル基板であっても良い。この場合、補強板５００を設けずに、端子部３１１ａと接触する基板のリジット部分がストロボ基板４０３の下面側と当接するような構成であっても良い。
【００９３】
（第３実施形態）
本発明のコネクタおよび電子機器の第３の実施形態としてのコネクタ３２０およびデジタルカメラ１００について図７〜９を参照して説明する。
【００９４】
図７は、本発明を実施したコネクタの第３実施形態であるコネクタ３２０を説明する図である。図７（ａ）は、第１の面側から見たコネクタ３２０の外観を示す外観斜視図である。図７（ｂ）は第１の面とは反対側の面側から見たコネクタ３２０の外観を示す外観斜視図である。尚、前述の第１実施形態と同様の構成についての説明は省略する。
【００９５】
図７（ａ）および図７（ｂ）に図示するように、コネクタ３２０は、導電部材３２１およびコネクタハウジング３２２から構成されている。導電部材３２１は、金属材料などの導電性材料で形成されている。コネクタハウジング３２２は、合成樹脂などの絶縁材料で形成されている。本実施形態では、３つの導電部材３２１が直線上に並んでコネクタハウジング３２２に固定されている。
【００９６】
図７（ａ）に図示するように、導電部材３２１の第１の端子部である端子部３２１ｃがコネクタハウジング３２２の第１の面３２２ｄから露出している。
【００９７】
図７（ａ）に図示するように、コネクタハウジング３１２の短辺側の側面３２２ｆには、位置決め用リブ３２２ｃが突出形成されている。
【００９８】
図７（ｂ）に図示するように、導電部材３２１の第２の端子部である端子部３２１ｂがコネクタハウジング３２２の第２の面３２２ｅから露出している。また、導電部材３２１の第３の端子部である端子部３２１ａがコネクタハウジング３２２の第２の面３２２ｅから露出している。
【００９９】
図７（ｂ）に図示するように、コネクタハウジング３２２の第２の面３２２ｅには、第１の当接部３２２ｂが突出形成されている。また、第１の当接部３２２ｂはコネクタハウジング３２２と一体的に形成されている。
【０１００】
尚、第１の当接部３２２ｂは、コネクタハウジング３２２の第２の面３２２ｅの長辺の一方と短辺の両方から突出形成されている。そのうち、第２の面３２２ｅの短辺に形成されている第１の当接部３２２ｂは、位置決めリブ３２２ｆと一体的に形成されている。即ち、本実施形態では、位置決め用リブ３２２ｆの側面のうち、第２の面側の面がストロボ基板４０３と当接可能である。
【０１０１】
図７（ｂ）に図示するように、コネクタハウジング３２２の第２の面３２２ｅには、第２当接部３２２ａが突出形成されている。また、第２の当接部３２２ａはコネクタハウジング３２２と一体的に形成されている。
【０１０２】
尚、第２の面３２２ｅにおいて、３つの導電部材３２１が露出した位置の間から、第２の当接部３２２ａがそれぞれ突出形成されている。
【０１０３】
図７（ｂ）に図示するように、第１の当接部３２２ｂの第２の面３２２ｅからの突出高さは、第２の当接部３２２ａの第２の面３２２ｅからの突出高さより高くなっている。
【０１０４】
図７（ｃ）は導電部材３２１の外観を示す外観斜視図である。
【０１０５】
図７（ｃ）に図示するように、導電部材３２１には、固定部３２１ｄが形成されている。固定部３２１ｄがコネクタハウジング３２２に固定されることで、導電部材３２１はコネクタハウジング３２２に固定される。導電部材３２１には。固定部３２１ｄに対して一方の端部に端子部３２１ｃが形成され、他方の端部に端子部３２１ｂ、３２１ａが形成される。固定部３２１ｄと端子部３２１ｃとの間には、屈曲部３２１ｅが形成されている。
【０１０６】
前述の第１実施形態と同様に、図７（ｃ）において、端子部３２１ｃ対して下方向から上方向に向かう力が作用すると、屈曲部３２１ｅより端子部３２１ｃ側で弾性変形するか、屈曲部３２１ｅが弾性変形する。また、端子部３２１ｂに対して右方向から左方向に向かう力が作用する場合には、端子部３２１ｂで弾性変形する。
【０１０７】
従って、端子部３２１ｃに対して下から上に向かう力が作用するにも、端子部３２１ｂに対して右から左に向かう力が作用するにも、固定部３２１ｄはほとんど弾性変形しない。
【０１０８】
この固定部３２１ｄがコネクタハウジング３２２に固定されているため、端子部３２１ｂまたは端子部３２１ｃに力が作用しても、導電部材３２１がコネクタハウジング３２２から脱落することはない。
【０１０９】
図８は、本発明を実施した電子機器の第３実施形態であるデジタルカメラ１００を説明する図である。
【０１１０】
図８（ａ）は、デジタルカメラ１００を正面側から見た斜視図である。尚、図８（ａ）は、デジタルカメラ１００から、不図示のフロントカバーおよびトップカバーを取り外した状態を示している。図８（ｂ）は、デジタルカメラ１００を背面側から見た斜視図である。
【０１１１】
本実施形態では、フレキシブル基板４２０にコネクタ３２０の端子部３２１ａを半田付けした後、コネクタ３２０を電池収納部２２０の上面に設けられたコネクタ収納部（不図示）に取り付ける。なお、コネクタ収納部（不図示）は、デジタルカメラ１００に対して、背面側に向けて形成されている。  図８（ａ）、（ｂ）に図示するように、コネクタ３２０をコネクタ収納部（不図示）に取り付けた後、ストロボ基板４０３がフレキシブル基板４２０に重なるように、電池収納部２００の上面（デジタルカメラ１００の背面側）に取り付けられる。即ちストロボ基板４０３は、デジタルカメラ１００の背面に対して図中のＺ方向に重なるように配置されている。
【０１１２】
図８（ｂ）に図示するように、端子部３２１ａは、フレキシブル基板４２０に形成された不図示の開口部を挿通し、フレキシブル基板４２０に半田付けされている。
【０１１３】
フレキシブル基板４２０には、開口部４２０ｃが形成されている。端子部３２１ｂは、開口部４２０ｃを挿通してフレキシブル基板４２０から露出する。
【０１１４】
本実施形態では、前述の第１実施形態と同様に、コネクタ３２０をフレキシブル基板４２０に半田付けした後、コネクタ３２０を電池収納部２２０に取り付ける。このとき、コネクタハウジング３２２に形成される位置決め用リブ３２２ｃを電池収納部２２０に形成された凹部２２０ｃに嵌合させることで、コネクタ３２０は電池収納部２２０に対して図８（ｂ）中のＸ方向、およびＹ方向に位置決めされる。コネクタ３２０を電池収納部２２０に取り付けた後、コネクタ３２０にストロボ基板が取り付けられる。このとき、デジタルカメラ１００の背面に対して、図８（ｂ）中のＺ方向と重なるようにコネクタ３２０とストロボ基板４０３とが配置される。そして、ストロボ基板４０３の通信コネクタ４０６に、フレキシブル基板４２０を接続する。
【０１１５】
図９は、本発明を実施した電子機器の第３実施形態であるデジタルカメラ１００の要部を説明する図である。図９（ａ）は、図８（ａ）に図示したデジタルカメラ１００のＤ−Ｄ断面を示す断面図である。図９（ｂ）は、図８（ａ）に図示したデジタルカメラ１００のＥ−Ｅ断面を示す断面図である。
【０１１６】
図９（ｂ）に図示するように、フレキシブル基板４２０は、コネクタハウジング３２２に形成される第２の当接部３２２ａに当接した状態で、端子部３２１ａが半田付けされる。即ち、フレキシブル基板４２０の下面を第２の当接部３２２ａに当接させることで、図９（ａ）（ｂ）中のＺ方向におけるコネクタ３２０とフレキシブル基板４２０との位置決めを行い、端子部３２１ａを半田付けしている。
【０１１７】
図９（ａ）に図示するように、第１の当接部３２２ｂの第２の面３２２ｅからの突出高さは、端子部３２１ａの第２の面３２２ｅからの突出高さより低い。したがって、ストロボ基板４０３をコネクタハウジング３２２に形成される第１の当接部３２２ｂに当接させると、フレキシブル基板４２０から露出した端子部３２１ｂが、ストロボ基板４０３の電気接点４０７に押し当てられる。即ち、ストロボ基板４０３は端子部３２１ｂの復元力を上回る力で第１の当接部３２２ｂに押し当てられ、端子部３２１ｂは弾性変形した状態で、電気接点４０７に接触する。
【０１１８】
ストロボ基板４０３の下面を第１の当接部３２２ｂに当接させることで、図９（ｂ）中のＺ方向におけるコネクタ３２０とストロボ基板４２０との位置決めを行っている。
【０１１９】
第１の当接部３２２ｂにストロボ基板４０３を当接させた際に、端子部３２１ｂと、ストロボ基板４０３の電気接点４０７との接触圧が適切となるように、第２の面３２２ｅからの第１の当接部３２２ｂの突出高さが設定されている。
【０１２０】
また、ストロボ基板４０３を第１の当接部３２２ｂに当接させても、フレキシブル基板４２０の端子部３２１ａが半田付けされた部分は、ストロボ基板４０３に接触しないように、第１の当接部３２２ｂの突出高さを設定している。
【０１２１】
従って、本実施形態では第１の当接部３２２ｂがコネクタハウジング３２２に一体的に形成されているので、ストロボ基板４０３は、コネクタ３２０に対して高い位置決め精度で位置決めできる。
【０１２２】
更に、上述したように、端子部３２１ｂが弾性変形しても、その変形は屈曲部３２１ｅの近傍にて吸収される。これによって、ストロボ基板４０３をコネクタ３２０に押し当てたとしても、図７（ｃ）に図示した導電部材３２１の固定部３２１ｄには、大きな応力が作用しない。
【０１２３】
図９（ａ）、（ｂ）に図示するように、第２の当接部３２２ａの第２の面３２２ｅからの突出高さは、第１の当接部３２２ｂにストロボ基板４０３を当接させた際にフレキシブル基板４２０と端子部３２１ａとの接続を干渉しないような突出高さに設定している。
【０１２４】
更に、第２の当接部３２２ａにフレキシブル基板４２０を当接させた際に、端子部３２１ａとフレキシブル基板４２０との接触圧が適切となるように、第２の当接部３２２ａの第２の面からの突出高さが設定されている。
【０１２５】
例えば、端子部３２１ａとフレキシブル基板４２０とが弾性的に接触するような場合は、端子部３２１ａとフレキシブル基板４２０との接触圧は適切なものとなる。
【０１２６】
以上説明したように、本実施形態のコネクタ３２０は、前述の第１実施形態と同様に、コネクタや基板に余計な負荷（応力）がかかることを抑制することが出来る。また、ストロボ基板４０３を背面側に配置することによって、デジタルカメラ１００を小型化することが出来る。
【０１２７】
以上、本発明の好ましい実施形態について説明したが、本発明はこれらの実施形態に限定されず、その要旨の範囲内で種々の変形および変更が可能である。
【０１２８】
例えば、前述の実施形態において、コネクタの端子部と電気的に接続する基板はストロボ基板やフレキシブル基板であるが、その他の基板と接続されるような構成であっても良い。
【０１２９】
また、前述の実施形態において、コネクタの導電部材は、２つの端子部を有するような構成であるがこれに限定されるものではない。例えば、フレキシブル基板と接触する端子部のみを有するような構成であっても良いし、ストロボ基板やフレキシブル基板以外の基板と電気的に接続可能な端子部が形成されているような構成であっても良い。
【符号の説明】
【０１３０】
１００  デジタルカメラ（電子機器）
２０２  電池端子
３００、３１０、３２０  コネクタ
３０１、３１１、３２１  導電部材
３０１ａ、３１１ａ、３２１ａ  端子部（第３の端子部）
３０１ｂ、３１１ｂ、３２１ｂ  端子部（第２の端子部）
３０１ｃ、３１１ｃ、３２１ｃ  端子部（第１の端子部）
３０１ｄ、３１１ｄ、３２１ｄ  固定部
３０２、３１２、３２２  コネクタハウジング
３０２ｂ、３２２ｂ  第１の当接部
３０２ａ、３２２ａ  第２の当接部
３０２ｄ、３１２ｄ、３２２ｄ  第１の面
３０２ｅ、３１２ｅ、３２２ｅ  第２の面
３１２ａ  当接部
４００、４１０、４２０  フレキシブル基板（第２の基板）
４０３  ストロボ基板（第１の基板）
４０７  電気接点（第１の電気接点）
４１２  電気接点（第２の電気接点）
【図１】
2015095371.tif 000003
【図２】
2015095371.tif 000004
【図３】
2015095371.tif 000005
【図４】
2015095371.tif 000006
【図５】
2015095371.tif 000007
【図６】
2015095371.tif 000008
【図７】
2015095371.tif 000009
【図８】
2015095371.tif 000010
【図９】
2015095371.tif 000011